(57)【要約】  プラズマディスプレイ装置の画像表示品質の低下を抑制しつつ書込み期間を短縮する。そのために、走査電極と維持電極とデータ電極とを有する放電セルを複数配列したプラズマディスプレイパネルと、プラズマディスプレイパネルを駆動する駆動回路とを備えたプラズマディスプレイ装置の駆動方法において、１ラインおきに間引きされたインターレース信号である画像信号を表示するサブフィールドと画像信号にもとづき検出した斜め線を補間して作成した斜め線補間データを表示するサブフィールドとで１フィールドを構成し、画像信号を表示するサブフィールドは隣接する２本の走査電極に同時に走査パルスを印加して放電セルに書込み放電を発生する２ライン毎同時書込み動作を行う。
2011074242.tif 000002
【特許請求の範囲】
【請求項１】
走査電極と維持電極とデータ電極とを有する放電セルを複数配列したプラズマディスプレイパネルと、前記プラズマディスプレイパネルを駆動する駆動回路とを備えたプラズマディスプレイ装置の駆動方法であって、
１ラインおきに間引きされたインターレース信号である画像信号を表示するサブフィールドと、前記画像信号にもとづき検出した斜め線を補間して作成した斜め線補間データを表示するサブフィールドとで１フィールドを構成し、
前記画像信号を表示するサブフィールドは隣接する２本の走査電極に同時に走査パルスを印加して前記放電セルに書込み放電を発生する２ライン毎同時書込み動作を行う
ことを特徴とするプラズマディスプレイ装置の駆動方法。
【請求項２】
前記画像信号は、右目用画像信号と左目用画像信号とをフィールド毎に交互に繰り返す立体視用の画像信号である
ことを特徴とする請求項１に記載のプラズマディスプレイ装置の駆動方法。
【請求項３】
走査電極と維持電極とデータ電極とを有する放電セルを複数配列したプラズマディスプレイパネルと、前記プラズマディスプレイパネルを駆動する駆動回路とを備えたプラズマディスプレイ装置であって、
前記駆動回路は、１ラインおきに間引きされたインターレース信号である画像信号を表示するサブフィールドと前記画像信号にもとづき検出した斜め線を補間して作成した斜め線補間データを表示するサブフィールドとで１フィールドを構成し、前記画像信号を表示するサブフィールドは隣接する２本の走査電極に同時に走査パルスを印加して前記放電セルに書込み放電を発生する２ライン毎同時書込み動作を行うように構成した
ことを特徴とするプラズマディスプレイ装置。
【請求項４】
前記画像信号は、右目用画像信号と左目用画像信号とをフィールド毎に交互に繰り返す立体視用の画像信号であって、
前記駆動回路は、前記右目用画像信号を表示する右目用フィールドおよび前記左目用画像信号を表示する左目用フィールドに同期したタイミング信号を出力するタイミング信号出力部を有する
ことを特徴とする請求項３に記載のプラズマディスプレイ装置。
【請求項５】
走査電極と維持電極とデータ電極とを有する放電セルを複数配列したプラズマディスプレイパネルと、
１ラインおきに間引きされたインターレース信号である右目用画像信号と左目用画像信号とをフィールド毎に交互に繰り返す立体視用の画像信号を入力し、前記画像信号を表示するサブフィールドと前記画像信号にもとづき検出した斜め線を補間して作成した斜め線補間データを表示するサブフィールドとで１フィールドを構成し、前記画像信号を表示するサブフィールドは隣接する２本の走査電極に同時に走査パルスを印加して前記放電セルに書込み放電を発生する２ライン毎同時書込み動作を行い前記プラズマディスプレイパネルを駆動するとともに、前記右目用画像信号を表示する右目用フィールドおよび前記左目用画像信号を表示する左目用フィールドに同期したタイミング信号を出力するタイミング信号出力部を有する駆動回路と、
前記タイミング信号出力部から出力されたタイミング信号にもとづき右目用シャッタおよび左目用シャッタを開閉するシャッタ眼鏡とを備えた
ことを特徴とするプラズマディスプレイシステム。
【発明の詳細な説明】
【技術分野】
【０００１】
本発明は、プラズマディスプレイパネルに交互に表示される右目用画像と左目用画像とからなる立体画像をシャッタ眼鏡を用いて立体視することができるプラズマディスプレイ装置の駆動方法、プラズマディスプレイ装置およびプラズマディスプレイシステムに関する。
【背景技術】
【０００２】
プラズマディスプレイパネル（以下、「パネル」と略記する）として代表的な交流面放電型パネルは、１対の走査電極と維持電極とからなる表示電極対が複数形成された前面基板と、複数のデータ電極が形成された背面基板とを対向配置し、その間に多数の放電セルが形成されている。そして、放電セル内でガス放電により紫外線を発生させ、この紫外線で赤色、緑色および青色の各色の蛍光体を励起発光させてカラーの画像表示を行う。【０００３】
パネルを駆動する方法としては一般にサブフィールド法が用いられている。サブフィールド法では、１フィールドを複数のサブフィールドに分割し、それぞれのサブフィールドで各放電セルを発光または非発光させることにより階調表示を行う。各サブフィールドは、初期化期間、書込み期間および維持期間を有する。【０００４】
初期化期間では、放電セルに初期化放電を発生し、続く書込み動作に必要な壁電荷を形成する初期化動作を行う。書込み期間では、表示する画像に応じて放電セルで選択的に書込み放電を発生して放電セル内に壁電荷を形成する書込み動作を行う。維持期間では、サブフィールド毎に定められた数の維持パルスを走査電極と維持電極とに交互に印加して放電セルに維持放電を発生する維持動作を行う。そして、書込み動作を行った放電セルの蛍光体層を発光させることにより、その放電セルを画像信号の階調値に応じた輝度で発光させて、パネルの画像表示領域に画像を表示する。【０００５】
上記のサブフィールド法では、パネルの大画面化、高精細度化等により走査電極の数が増加すると、書込み期間に要する時間が長くなり、維持動作に費やすことができる時間が減少するという問題が生じる。【０００６】
この問題を解決するために、「同時書込み動作」を行う駆動方法が提案されている。同時書込み動作とは、複数の走査電極に同時に走査パルスを印加して書込み動作を行う駆動方法である（例えば、特許文献１参照）。同時書込み動作を行うと、書込み動作に費やす時間を短縮して書込み期間を短縮することができるので、例えば、サブフィールドの数を増やしたり、あるいは維持動作に費やす時間を増やす、といったことが可能になる。【０００７】
また、３次元（３  Ｄｉｍｅｎｓｉｏｎ：以下「３Ｄ」と記す）画像表示装置としてプラズマディスプレイ装置を応用することが検討されている。【０００８】
このプラズマディスプレイ装置では、立体視用の画像（３Ｄ画像）を構成する右目用画像と左目用画像とをパネルに交互に表示し、使用者は、シャッタ眼鏡と呼ばれる特殊な眼鏡を用いてその画像を観測する。【０００９】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、使用者は、右目用画像を右目だけで観測し、左目用画像を左目だけで観測することができ、表示画像を立体視することができる。【００１０】
このように、３Ｄ画像表示装置として用いられるプラズマディスプレイ装置においては、１枚の３Ｄ画像を表示するために、１枚の右目用画像と１枚の左目用画像との２枚の画像を表示しなければならない。そのため、シャッタ眼鏡を通して３Ｄ画像を観測する使用者には、１秒間にパネルに表示される画像の数が、１秒間のフィールドの数の半分の数として観測される。【００１１】
例えば、パネルに表示される画像のフィールド周波数（１秒間に発生するフィールドの数）が６０Ｈｚのとき、その画像が３Ｄ画像ではない通常の画像（２Ｄ画像）であれば、１秒間に６０枚の２Ｄ画像が表示されるが、その画像が３Ｄ画像であれば、１秒間に３０枚の３Ｄ画像が表示されることになる。【００１２】
したがって、１秒間に６０枚の３Ｄ画像を表示するためには、フィールド周波数を６０Ｈｚの２倍の１２０Ｈｚに設定しなければならない。その場合、１枚の右目用画像または１枚の左目用画像を表示するために使用できる時間は、１枚の２Ｄ画像を表示するために使用できる時間の２分の１に制限される。【００１３】
このような場合、パネルの駆動に要する時間を削減する方法として、上述した同時書込み動作を用いた駆動方法が有効である。しかしながら、同時書込み動作を用いた駆動方法では、走査電極に直行する方向（以下、「垂直方向」と記す）の解像度（以下、「垂直解像度」と記す）が低下しやすい。例えば、隣接する２本の走査電極に同時に走査パルスを印加する場合、それら２本の走査電極に同時に書込み動作を行うので、パネルに表示される１枚の画像において、隣接する２本の走査電極上に形成される各放電セルが同じパターンで発光する。そのため、走査電極に直行する方向（垂直方向）に関して、画像の解像度は、走査電極の数の半分に低下する。【００１４】
垂直解像度が低下すると、斜め線の図柄が含まれている画像を表示する際に、垂直解像度が高い画像と比較して、その斜め線の滑らかさが損なわれやすい。特に、斜め線が特定のスピードで移動する動画像では、斜め線の劣化が目につきやすいことが確認されている。【００１５】
３Ｄ画像表示装置として用いるプラズマディスプレイ装置において、同時書込み動作を用いた駆動方法によりパネルを駆動して３Ｄ画像を表示する際に、画像表示品質を確保するためには、斜め線が移動する動画像において斜め線を滑らかに表示し、画像表示品質の低下を抑制することは重要である。
【先行技術文献】
【特許文献】
【００１６】
【特許文献１】特開２００８−１１６８９４号公報
【発明の概要】
【００１７】
本発明のプラズマディスプレイ装置の駆動方法は、走査電極と維持電極とデータ電極とを有する放電セルを複数配列したパネルと、パネルを駆動する駆動回路とを備えたプラズマディスプレイ装置の駆動方法である。そして、１ラインおきに間引きされたインターレース信号である画像信号を表示するサブフィールドと、画像信号にもとづき検出した斜め線を補間して作成した斜め線補間データを表示するサブフィールドとで１フィールドを構成し、画像信号を表示するサブフィールドは隣接する２本の走査電極に同時に走査パルスを印加して放電セルに書込み放電を発生する２ライン毎同時書込み動作を行う。
【００１８】
この方法により、３Ｄ画像表示装置として使用可能なプラズマディスプレイ装置において、３Ｄ画像をパネルに表示する際に、画像表示品質の低下を抑制しつつ書込み期間を短縮することができ、滑らかな動画の３Ｄ画像をパネルに表示することができる。
【００１９】
本発明のプラズマディスプレイ装置は、走査電極と維持電極とデータ電極とを有する放電セルを複数配列したパネルと、パネルを駆動する駆動回路とを備えたプラズマディスプレイ装置である。駆動回路は、１ラインおきに間引きされたインターレース信号である画像信号を表示するサブフィールドと前記画像信号にもとづき検出した斜め線を補間して作成した斜め線補間データを表示するサブフィールドとで１フィールドを構成し、画像信号を表示するサブフィールドは隣接する２本の走査電極に同時に走査パルスを印加して放電セルに書込み放電を発生する２ライン毎同時書込み動作を行うように構成する。
【００２０】
この構成により、３Ｄ画像表示装置として使用可能なプラズマディスプレイ装置において、３Ｄ画像をパネルに表示する際に、画像表示品質の低下を抑制しつつ書込み期間を短縮することができ、滑らかな動画の３Ｄ画像をパネルに表示することができる。
【００２１】
本発明のプラズマディスプレイシステムは、走査電極と維持電極とデータ電極とを有する放電セルを複数配列したパネルと、駆動回路と、シャッタ眼鏡とを備える。駆動回路は、１ラインおきに間引きされたインターレース信号である右目用画像信号と左目用画像信号とをフィールド毎に交互に繰り返す立体視用の画像信号を入力し、画像信号を表示するサブフィールドと画像信号にもとづき検出した斜め線を補間して作成した斜め線補間データを表示するサブフィールドとで１フィールドを構成し、画像信号を表示するサブフィールドは隣接する２本の走査電極に同時に走査パルスを印加して放電セルに書込み放電を発生する２ライン毎同時書込み動作を行いパネルを駆動する。また、駆動回路は、右目用画像信号を表示する右目用フィールドおよび左目用画像信号を表示する左目用フィールドに同期したタイミング信号を出力するタイミング信号出力部を有する。シャッタ眼鏡は、タイミング信号出力部から出力されたタイミング信号にもとづき右目用シャッタおよび左目用シャッタを開閉する。
【００２２】
この構成により、３Ｄ画像表示装置として使用可能なプラズマディスプレイ装置を備えたプラズマディスプレイシステムにおいて、３Ｄ画像をパネルに表示する際に、画像表示品質の低下を抑制しつつ書込み期間を短縮することができ、滑らかな動画の３Ｄ画像をパネルに表示することができる。
【図面の簡単な説明】
【００２３】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置の回路ブロック図およびプラズマディスプレイシステムの概要を示す図である。
【図４】図４は、本発明の実施の形態１におけるプラズマディスプレイ装置に用いるパネルの各電極に印加する駆動電圧波形図である。
【図５】図５は、本発明の実施の形態１におけるプラズマディスプレイ装置のサブフィールド構成およびシャッタ眼鏡の開閉動作を示す模式図である。
【図６】図６は、本発明の実施の形態１におけるプラズマディスプレイ装置の画像信号処理回路の回路ブロック図である。
【図７】図７は、本発明の実施の形態１におけるプラズマディスプレイ装置の斜め線検出部の回路ブロック図である。
【図８】図８は、本発明の実施の形態１におけるプラズマディスプレイ装置の補間データ作成部の回路ブロック図である。
【図９Ａ】図９Ａは、本発明の実施の形態１におけるプラズマディスプレイ装置の斜め線補間回路の動作を説明するための図である。
【図９Ｂ】図９Ｂは、本発明の実施の形態１におけるプラズマディスプレイ装置の斜め線補間回路の動作を説明するための図である。
【図９Ｃ】図９Ｃは、本発明の実施の形態１におけるプラズマディスプレイ装置の斜め線補間回路の動作を説明するための図である。
【図９Ｄ】図９Ｄは、本発明の実施の形態１におけるプラズマディスプレイ装置の斜め線補間回路の動作を説明するための図である。
【図９Ｅ】図９Ｅは、本発明の実施の形態１におけるプラズマディスプレイ装置の斜め線補間回路の動作を説明するための図である。
【図９Ｆ】図９Ｆは、本発明の実施の形態１におけるプラズマディスプレイ装置の斜め線補間回路の動作を説明するための図である。
【図９Ｇ】図９Ｇは、本発明の実施の形態１におけるプラズマディスプレイ装置の斜め線補間回路の動作を説明するための図である。
【図９Ｈ】図９Ｈは、本発明の実施の形態１におけるプラズマディスプレイ装置の斜め線補間回路の動作を説明するための図である。
【図９Ｉ】図９Ｉは、本発明の実施の形態１におけるプラズマディスプレイ装置の斜め線補間回路の動作を説明するための図である。
【図９Ｊ】図９Ｊは、本発明の実施の形態１におけるプラズマディスプレイ装置の斜め線補間回路の動作を説明するための図である。
【図１０Ａ】図１０Ａは、本発明の実施の形態２におけるプラズマディスプレイ装置の斜め線補間データを説明するための図である。
【図１０Ｂ】図１０Ｂは、本発明の実施の形態２におけるプラズマディスプレイ装置の斜め線補間データを説明するための図である。
【図１０Ｃ】図１０Ｃは、本発明の実施の形態２におけるプラズマディスプレイ装置の斜め線補間データを説明するための図である。
【図１１】図１１は、本発明の実施の形態２におけるプラズマディスプレイ装置に用いるパネルの各電極に印加する駆動電圧波形図である。
【発明を実施するための形態】
【００２４】
以下、本発明の実施の形態におけるプラズマディスプレイ装置について、図面を用いて説明する。
【００２５】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。保護層２６は、酸化マグネシウム（ＭｇＯ）を主成分とする材料で形成されている。
【００２６】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２７】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えば、ネオンとキセノンの混合ガスを放電ガスとして封入する。なお、本実施の形態では、発光効率を向上するためにキセノン分圧を約１０％にした放電ガスを用いている。
【００２８】
放電空間は隔壁３４によって複数の区画に仕切られており、表示電極対２４とデータ電極３２とが交差する部分に放電セルが形成されている。そして、これらの放電セルを放電、発光（点灯）することによりパネル１０にカラーの画像が表示される。
【００２９】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００３０】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００３１】
図２は、本発明の実施の形態１におけるプラズマディスプレイ装置に用いるパネル１０の電極配列図である。パネル１０には、行方向（ライン方向）に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００３２】
図３は、本発明の一実施の形態におけるプラズマディスプレイ装置４０の回路ブロック図およびプラズマディスプレイシステムの概要を示す図である。本実施の形態に示すプラズマディスプレイシステムは、プラズマディスプレイ装置４０とシャッタ眼鏡５０とを構成要素に含む。
【００３３】
プラズマディスプレイ装置４０は、走査電極２２と維持電極２３とデータ電極３２とを有する放電セルを複数配列したパネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。またプラズマディスプレイ装置４０は、タイミング信号出力部４６を備えている。タイミング信号出力部４６は、使用者が使用するシャッタ眼鏡５０のシャッタの開閉を制御するシャッタ開閉用タイミング信号をシャッタ眼鏡５０に出力する。
【００３４】
画像信号処理回路４１は、入力された画像信号にもとづき、各放電セルに階調値を割り当てる。そして、その階調値を、サブフィールド毎の発光・非発光を示す画像データに変換する。例えば、入力された画像信号ｓｉｇがＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号ｓｉｇが輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。また、入力される画像信号が、右目用画像信号と左目用画像信号とを有する３Ｄ画像信号であり、その３Ｄ画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【００３５】
また、画像信号処理回路４１は、詳細は後述するが、右目用画像信号および左目用画像信号のそれぞれに対して斜め線を検出し、右目用斜め線補間データおよび左目用斜め線補間データを作成する。
【００３６】
データ電極駆動回路４２は、右目用画像データ、左目用画像データ、右目用斜め線補間データおよび左目用斜め線補間データを、各データ電極Ｄ１〜データ電極Ｄｍに対応する信号（書込みパルス）に変換し、データ電極Ｄ１〜データ電極Ｄｍのそれぞれに印加する。
【００３７】
タイミング発生回路４５は、水平同期信号および垂直同期信号にもとづき各回路ブロックの動作を制御する各種のタイミング信号を発生する。そして、発生したタイミング信号をそれぞれの回路ブロック（画像信号処理回路４１、データ電極駆動回路４２、走査電極駆動回路４３および維持電極駆動回路４４等）へ供給する。また、タイミング発生回路４５は、シャッタ眼鏡５０のシャッタの開閉を制御するシャッタ開閉用タイミング信号をタイミング信号出力部４６に出力する。なお、タイミング発生回路４５は、シャッタ眼鏡５０のシャッタを開く（可視光を透過する状態になる）ときにはシャッタ開閉用タイミング信号をオン（「１」）にし、シャッタ眼鏡５０のシャッタを閉じる（可視光を遮断する状態になる）ときにはシャッタ開閉用タイミング信号をオフ（「０」）にするものとする。また、シャッタ開閉用タイミング信号は、右目用画像信号を表示する右目用フィールドに応じてオンとなり、左目用画像信号を表示する左目用フィールドに応じてオフとなるタイミング信号（右目シャッタ開閉用タイミング信号）と、左目用画像信号を表示する左目用フィールドに応じてオンとなり、右目用画像信号を表示する右目用フィールドに応じてオフとなるタイミング信号（左目シャッタ開閉用タイミング信号）とからなるものとする。
【００３８】
タイミング信号出力部４６は、ＬＥＤ（Ｌｉｇｈｔ  Ｅｍｉｔｔｉｎｇ  Ｄｉｏｄｅ）等の発光素子を有しており、シャッタ開閉用タイミング信号を、例えば赤外線の信号に変換してシャッタ眼鏡５０に供給する。
【００３９】
走査電極駆動回路４３は、初期化波形発生回路、維持パルス発生回路、走査パルス発生回路（図示せず）を有する。初期化波形発生回路は、初期化期間に走査電極ＳＣ１〜走査電極ＳＣｎに印加する初期化波形を発生する。維持パルス発生回路は、維持期間に走査電極ＳＣ１〜走査電極ＳＣｎに印加する維持パルスを発生する。走査パルス発生回路は、複数の走査電極駆動ＩＣ（走査ＩＣ）を備え、書込み期間に走査電極ＳＣ１〜走査電極ＳＣｎに印加する走査パルスを発生する。そして、走査電極駆動回路４３は、タイミング発生回路４５から供給されるタイミング信号にもとづいて走査電極ＳＣ１〜走査電極ＳＣｎをそれぞれ駆動する。
【００４０】
維持電極駆動回路４４は、維持パルス発生回路および電圧Ｖｅ１、電圧Ｖｅ２を発生する回路を備え（図示せず）、タイミング発生回路４５から供給されるタイミング信号にもとづいて維持電極ＳＵ１〜維持電極ＳＵｎを駆動する。
【００４１】
シャッタ眼鏡５０は、右目用シャッタ５２Ｒおよび左目用シャッタ５２Ｌを有する。右目用シャッタ５２Ｒおよび左目用シャッタ５２Ｌは、それぞれ独立にシャッタの開閉が可能である。そして、シャッタ眼鏡５０は、タイミング信号出力部４６から供給されるシャッタ開閉用タイミング信号にもとづいて右目用シャッタ５２Ｒおよび左目用シャッタ５２Ｌを開閉する。右目用シャッタ５２Ｒは、右目シャッタ開閉用タイミング信号がオンのときには開き（可視光を透過し）、オフのときには閉じる（可視光を遮断する）。左目用シャッタ５２Ｌは、左目シャッタ開閉用タイミング信号がオンのときには開き（可視光を透過し）、オフのときには閉じる（可視光を遮断する）。右目用シャッタ５２Ｒおよび左目用シャッタ５２Ｌは、例えば液晶を用いて構成することができる。ただし、本発明は、シャッタを構成する材料が何ら液晶に限定されるものではなく、可視光の遮断と透過とを高速に切り換えることができるものであればどのようなものであってもかまわない。
【００４２】
次に、パネル１０を駆動するための駆動電圧波形とその動作の概要について説明する。本実施の形態におけるプラズマディスプレイ装置４０は、サブフィールド法によって階調表示を行う。サブフィールド法では、１フィールドを時間軸上で複数のサブフィールドに分割し、各サブフィールドに輝度重みをそれぞれ設定する。そして、サブフィールド毎に各放電セルの発光・非発光を制御することによってパネル１０に画像を表示する。
【００４３】
なお、本実施の形態において、プラズマディスプレイ装置４０に入力される画像信号は、１ラインおきに間引きされたインターレース信号であり、また３Ｄ画像信号である。３Ｄ画像信号は、右目用画像信号と左目用画像信号とをフィールド毎に交互に繰り返す立体視用の画像信号である。具体的には、奇数ラインの右目用画像信号、奇数ラインの左目用画像信号、偶数ラインの右目用画像信号、偶数ラインの左目用画像信号、という順番で送信されるインターレース信号（飛越走査信号）である。
【００４４】
そして、右目用画像信号を表示する右目用フィールドと、左目用画像信号を表示する左目用フィールドとを交互に繰り返し、パネル１０に右目用画像および左目用画像からなる立体視用の画像を表示する。それととともに、パネル１０に表示されるその立体視用の画像（３Ｄ画像）を、右目用フィールドおよび左目用フィールドに同期して右目用シャッタ５２Ｒおよび左目用シャッタ５２Ｌをそれぞれ開閉するシャッタ眼鏡５０を通して使用者が観測する。これにより、使用者は、パネル１０に表示される３Ｄ画像を立体視することができる。
【００４５】
右目用フィールドと左目用フィールドとでは表示する画像信号が異なるだけであり、１つのフィールドを構成するサブフィールドの数、各サブフィールドの輝度重み、サブフィールドの配列等、フィールドの構成は同じである。そこで、まず１つのフィールドの構成と各電極に印加する駆動電圧波形について説明する。以下、「右目用」および「左目用」の区別が必要ない場合には、右目用フィールドおよび左目用フィールドを単に「フィールド」と略記する。また、右目用画像信号および左目用画像信号を単に「画像信号」と略記する。また、右目用斜め線補間データおよび左目用斜め線補間データを単に「斜め線補間データ」と略記する。
【００４６】
なお、本実施の形態では、使用者に３Ｄ画像の動画像が滑らかに観測されるように、フィールド周波数（１秒間に発生するフィールドの数）を通常の２倍（例えば、１２０Ｈｚ）に設定している。この詳細は後述する。
【００４７】
各フィールドは複数のサブフィールドを有し、それぞれのサブフィールドは初期化期間、書込み期間および維持期間を備える。
【００４８】
初期化期間では初期化放電を発生し、続く書込み放電に必要な壁電荷を各電極上に形成する。このときの初期化動作には、それまでの放電の有無にかかわらず全ての放電セルに強制的に初期化放電を発生する強制初期化動作と、直前のサブフィールドの書込み期間において書込み放電を発生した放電セルだけに選択的に初期化放電を発生する選択初期化動作とがある。以下、強制初期化動作を行う初期化期間を強制初期化期間と呼称し、強制初期化期間を有するサブフィールドを「強制初期化サブフィールド」と呼称する。また、選択初期化動作を行う初期化期間を選択初期化期間と呼称し、選択初期化期間を有するサブフィールドを「選択初期化サブフィールド」と呼称する。
【００４９】
書込み期間では、データ電極３２に選択的に書込みパルスを印加し、発光するべき放電セルで書込み放電を発生して壁電荷を形成する。なお、本実施の形態では、書込み期間において、２ライン毎同時書込み動作を行う。２ライン毎同時書込み動作とは、詳細は後述するが、隣接する２本の走査電極２２に同時に走査パルスを印加するとともにデータ電極３２に選択的に書込みパルスを印加して、各放電セルに書込み放電を発生する書込み動作である。２ライン毎同時書込み動作を行うことで、１ライン毎に書込み動作を行う場合と比較して、書込み期間に要する時間を短縮することができる。
【００５０】
そして維持期間では、サブフィールド毎に定められた輝度重みに応じた数の維持パルスを表示電極対２４に交互に印加して、書込み放電を発生した放電セルで維持放電を発生させて放電セルを発光させる。
【００５１】
なお、本実施の形態においては、右目用フィールドおよび左目用フィールドを、それぞれ６つのサブフィールド（サブフィールドＳＦ１、サブフィールドＳＦ２、サブフィールドＳＦ３、サブフィールドＳＦ４、サブフィールドＳＦ５、サブフィールドＳＦ６）で構成し、各サブフィールドはそれぞれ（１６、８、４、２、１、８）の輝度重みを有するものとする。
【００５２】
輝度重みとは、各サブフィールドで表示する輝度の大きさの比を表すものであり、各サブフィールドでは輝度重みに応じた数の維持パルスを維持期間に発生する。例えば、輝度重み「８」のサブフィールドでは、輝度重み「２」のサブフィールドの４倍の数の維持パルスを維持期間に発生し、輝度重み「１」のサブフィールドの８倍の数の維持パルスを維持期間に発生する。したがって、輝度重み「８」のサブフィールドは、輝度重み「２」のサブフィールドの約４倍の輝度で発光し、輝度重み「１」のサブフィールドの約８倍の輝度で発光する。したがって、画像信号に応じた組み合わせで各サブフィールドを選択的に発光させることによって様々な階調を表示し、画像を表示することができる。
【００５３】
また、各サブフィールドの維持期間においては、それぞれのサブフィールドの輝度重みに所定の比例定数を乗じた数にもとづく数の維持パルスを表示電極対２４のそれぞれに印加する。この比例定数が輝度倍率である。
【００５４】
なお、本実施の形態では、輝度倍率が１倍のとき、輝度重み「１」のサブフィールドの維持期間では維持パルスを２つ発生し、走査電極２２と維持電極２３とにそれぞれ１回ずつ維持パルスを印加するものとする。すなわち、維持期間においては、それぞれのサブフィールドの輝度重みに所定の輝度倍率を乗じた数の維持パルスが、走査電極２２および維持電極２３のそれぞれに印加される。したがって、輝度倍率が２倍のとき、輝度重み「１」のサブフィールドの維持期間で発生する維持パルスの数は４となり、輝度倍率が３倍のとき、輝度重み「１」のサブフィールドの維持期間で発生する維持パルスの数は６となる。
【００５５】
しかし、本実施の形態は、１フィールドを構成するサブフィールドの数や各サブフィールドの輝度重みが上記の値に限定されるものではない。また、画像信号等にもとづいてサブフィールド構成を切り換える構成であってもよい。
【００５６】
ここで、サブフィールドＳＦ１〜サブフィールドＳＦ５は、画像信号にもとづく階調の大きさで放電セルを発光させ、画像信号を表示するためのサブフィールドである。また、サブフィールドＳＦ６は、詳細は後述するが、動く斜め線の表示品質低下を抑制するために、画像信号にもとづき作成した斜め線補間データを表示するためのサブフィールドである。
【００５７】
以下、インターレース信号の奇数ラインの画像信号を表示する場合のプラズマディスプレイ装置４０の動作について説明する。インターレース信号の偶数ラインの画像信号を表示する場合の動作については説明を省略するが、同時に走査パルスを印加する走査電極２２の組み合わせを変更すること以外は、同じ動作である。
【００５８】
以下、本実施の形態では、右目用フィールドおよび左目用フィールドのそれぞれにおいて、最初に発生するサブフィールドＳＦ１を強制初期化サブフィールドとする例を説明する。すなわち、サブフィールドＳＦ１の初期化期間では強制初期化動作を行い、他のサブフィールド（サブフィールドＳＦ２〜サブフィールドＳＦ６）の初期化期間では選択初期化動作を行うものとする。これにより、少なくとも１フィールドに１回は全ての放電セルに初期化放電を発生させることができ、強制初期化動作以降の書込み動作を安定化することができる。また、画像の表示に関係のない発光はサブフィールドＳＦ１における強制初期化動作の放電にともなう発光のみとなる。したがって、維持放電を発生しない黒表示領域の輝度である黒輝度を低減し、パネル１０にコントラストの高い画像を表示することが可能となる。
【００５９】
図４は、本発明の実施の形態１におけるプラズマディスプレイ装置４０に用いるパネル１０の各電極に印加する駆動電圧波形図である。図４には、書込み期間において最初に書込み動作を行う走査電極ＳＣ１から走査電極ＳＣ５までの各走査電極２２、維持電極ＳＵ１〜維持電極ＳＵｎ、およびデータ電極Ｄ１〜データ電極Ｄｍのそれぞれに印加する駆動電圧波形を示す。
【００６０】
なお、以下における走査電極ＳＣｉ、維持電極ＳＵｉ、データ電極Ｄｋは、各電極の中から画像データ（サブフィールド毎の点灯・非点灯を示すデータ）にもとづき選択された電極を表す。
【００６１】
まず、全セル初期化サブフィールドであるサブフィールドＳＦ１について説明する。
【００６２】
サブフィールドＳＦ１の初期化期間の前半部では、データ電極Ｄ１〜データ電極Ｄｍ、維持電極ＳＵ１〜維持電極ＳＵｎに、それぞれ電圧０（Ｖ）を印加する。そして、走査電極ＳＣ１〜走査電極ＳＣｎには、電圧Ｖｉ１を印加する。電圧Ｖｉ１は、維持電極ＳＵ１〜維持電極ＳＵｎに対して放電開始電圧未満の電圧に設定する。さらに、走査電極ＳＣ１〜走査電極ＳＣｎに、電圧Ｖｉ１から電圧Ｖｉ２に向かって緩やかに上昇する傾斜波形電圧を印加する。電圧Ｖｉ２は、維持電極ＳＵ１〜維持電極ＳＵｎに対して放電開始電圧を超える電圧に設定する。
【００６３】
この傾斜波形電圧が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００６４】
この初期化期間の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに下降する傾斜波形電圧を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００６５】
走査電極ＳＣ１〜走査電極ＳＣｎに下降する傾斜波形電圧を印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。以上により、全ての放電セルで強制的に初期化放電を発生する強制初期化動作が終了する。
【００６６】
サブフィールドＳＦ１の書込み期間では、維持電極ＳＵ１〜維持電極ＳＵｎに電圧Ｖｅ２を印加し、走査電極ＳＣ１〜走査電極ＳＣｎに電圧Ｖｃ（電圧Ｖｃ＝電圧Ｖａ＋電圧Ｖｓｃ）を印加する。
【００６７】
次に、１ライン目の走査電極ＳＣ１および２ライン目の走査電極ＳＣ２に、負の電圧Ｖａの走査パルスを同時に印加する。
【００６８】
そして、それと同時に、画像信号にもとづき、データ電極Ｄ１〜データ電極Ｄｍのうち１ライン目に発光するべき放電セルのデータ電極Ｄｋに正の電圧Ｖｄの書込みパルスを印加する。これにより、書込みパルスを印加した放電セルのデータ電極Ｄｋと走査電極ＳＣ１との交差部の電圧差、およびデータ電極Ｄｋと走査電極ＳＣ２との交差部の電圧差は電開始電圧を超え、データ電極Ｄｋと走査電極ＳＣ１との間、およびデータ電極Ｄｋと走査電極ＳＣ２との間に放電が発生する。
【００６９】
また、維持電極ＳＵ１〜維持電極ＳＵｎに電圧Ｖｅ２を印加しているため、データ電極Ｄｋと走査電極ＳＣ１との間に発生する放電を引き金にして、データ電極Ｄｋと交差する領域にある維持電極ＳＵ１と走査電極ＳＣ１との間に放電が発生し、データ電極Ｄｋと走査電極ＳＣ２との間に発生する放電を引き金にして、データ電極Ｄｋと交差する領域にある維持電極ＳＵ２と走査電極ＳＣ２との間に放電が発生する。
【００７０】
こうして、発光するべき放電セルに書込み放電が発生し、走査電極ＳＣ１上および走査電極ＳＣ２上に正の壁電圧が蓄積され、維持電極ＳＵ１上および維持電極ＳＵ２上に負の壁電圧が蓄積され、データ電極Ｄｋ上にも負の壁電圧が蓄積される。
【００７１】
このようにして、１ライン目において発光するべき放電セルに加え、２ライン目の放電セルでも書込み放電を発生して、各電極上に壁電圧を蓄積する書込み動作を行う。一方、書込みパルスを印加しなかったデータ電極３２と走査電極ＳＣ１との交差部の電圧、および同データ電極３２と走査電極ＳＣ２との交差部の電圧は放電開始電圧を超えないので、書込み放電は発生しない。
【００７２】
次に、３ライン目の走査電極ＳＣ３および４ライン目の走査電極ＳＣ４に同時に走査パルスを印加し、画像信号にもとづきデータ電極Ｄ１〜データ電極Ｄｍのうち３ライン目に発光するべき放電セルのデータ電極Ｄｋに書込みパルスを印加する。これにより、３ライン目において発光するべき放電セルに加え、４ライン目の放電セルでも書込み動作が行われる。
【００７３】
以下、走査電極ＳＣｎに至るまで、順次、上述と同様に、奇数ライン目の走査電極ＳＣｐ（ｐは奇数）とその次の偶数ライン目の走査電極ＳＣｐ＋１とに同時に走査パルスを印加し、画像信号にもとづきデータ電極Ｄ１〜データ電極Ｄｍのうちｐライン目に発光するべき放電セルのデータ電極Ｄｋに書込みパルスを印加する書込み動作を行う。
【００７４】
本実施の形態では、このように、書込み期間において２ライン毎同時書込み動作を行う。これにより、書込み動作に要する時間を、１ライン毎に書込み動作を行う場合と比較して、約半分に短縮することができる。
【００７５】
なお上述の説明では、表示すべき画像信号が奇数ラインのインターレース信号の場合の動作について説明したが、表示すべき画像信号が偶数ラインのインターレース信号の場合には、偶数ライン目の走査電極ＳＣｐ＋１とその次の奇数ライン目の走査電極ＳＣｐ＋２とに同時に走査パルスを印加し、画像信号にもとづきｐ＋１ライン目に発光するべき放電セルのデータ電極Ｄｋに書込みパルスを印加して２ライン毎同時書込み動作を行う。
【００７６】
続く維持期間では、維持パルスを表示電極対２４に交互に印加して、書込み放電を発生した放電セルに維持放電を発生し、その放電セルを発光させる。
【００７７】
この維持期間では、まず走査電極ＳＣ１〜走査電極ＳＣｎに正の電圧Ｖｓの維持パルスを印加するとともに維持電極ＳＵ１〜維持電極ＳＵｎにベース電位となる接地電位、すなわち電圧０（Ｖ）を印加する。書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【００７８】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。書込み期間において書込み放電が発生しなかった放電セルでは維持放電は発生せず、初期化期間の終了時における壁電圧が保たれる。
【００７９】
続いて、走査電極ＳＣ１〜走査電極ＳＣｎにはベース電位となる電圧０（Ｖ）を、維持電極ＳＵ１〜維持電極ＳＵｎには維持パルスをそれぞれ印加する。維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【００８０】
以降同様に、走査電極ＳＣ１〜走査電極ＳＣｎと維持電極ＳＵ１〜維持電極ＳＵｎとに、輝度重みに輝度倍率を乗じた数にもとづく数の維持パルスを交互に印加する。こうすることで、書込み期間において書込み放電を発生した放電セルで維持放電が継続して発生する。
【００８１】
そして、維持期間における維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎに、電圧０（Ｖ）から電圧Ｖｒに向かって緩やかに上昇する傾斜波形電圧を印加する。電圧Ｖｒを、放電開始電圧を超える電圧に設定することにより、維持放電を発生した放電セルの維持電極ＳＵｉと走査電極ＳＣｉとの間で、微弱な放電が発生する。この微弱な放電で発生した荷電粒子は、維持電極ＳＵｉと走査電極ＳＣｉとの間の電圧差を緩和するように、維持電極ＳＵｉ上および走査電極ＳＣｉ上に蓄積されていく。したがって、維持放電が発生した放電セルにおいて、データ電極Ｄｋ上の正の壁電荷を残したまま、走査電極ＳＣｉおよび維持電極ＳＵｉ上の、壁電圧の一部または全部が消去される。
【００８２】
上昇する電圧が電圧Ｖｒに到達したら、走査電極ＳＣ１〜走査電極ＳＣｎに印加する電圧を電圧０（Ｖ）まで下降する。こうして、維持期間における維持動作が終了する。
【００８３】
次に、選択初期化サブフィールドであるサブフィールドＳＦ２について説明する。
【００８４】
サブフィールドＳＦ２の初期化期間では、維持電極ＳＵ１〜維持電極ＳＵｎには電圧Ｖｅ１を、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から放電開始電圧を超える負の電圧Ｖｉ４に向かって緩やかに下降する傾斜波形電圧を印加する。
【００８５】
これにより、直前のサブフィールド（図４では、サブフィールドＳＦ１）の維持期間で維持放電を発生した放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００８６】
一方、直前のサブフィールドの維持期間で維持放電を発生しなかった放電セルでは、初期化放電は発生せず、直前のサブフィールドの初期化期間終了時における壁電荷がそのまま保たれる。このように、サブフィールドＳＦ２における初期化動作では、直前のサブフィールドの書込み期間で書込み動作を行った放電セル、すなわち直前のサブフィールドの維持期間で維持放電を発生した放電セルに対して初期化放電を発生する選択初期化動作を行う。
【００８７】
続く書込み期間の動作はＳＦ１の書込み期間の動作と同様である。すなわち、順次、奇数ライン目の走査電極ＳＣｐとその次の偶数ライン目の走査電極ＳＣｐ＋１とに同時に走査パルスを印加するとともに、データ電極Ｄ１〜データ電極Ｄｍのうちｐライン目に発光させるべき放電セルのデータ電極Ｄｋに書込みパルスを印加して２ライン毎同時書込み動作を行う。
【００８８】
続く維持期間の動作は、維持パルスの数を除いてサブフィールドＳＦ１の維持期間の動作と同様である。続くサブフィールドＳＦ３〜サブフィールドＳＦ５の動作は、維持パルスの数を除いてサブフィールドＳＦ２の動作と同様である。
【００８９】
１フィールドの最後のサブフィールドであるサブフィールドＳＦ６は、斜め線補間データを表示するサブフィールドである。サブフィールドＳＦ６の初期化期間の動作はサブフィールドＳＦ２の初期化期間の動作と同じ選択初期化動作であるため説明を省略する。
【００９０】
サブフィールドＳＦ６の書込み期間では、維持電極ＳＵ１〜維持電極ＳＵｎに電圧Ｖｅ２を印加し、走査電極ＳＣ１、走査電極ＳＣ２、・・・、走査電極ＳＣｎのそれぞれには電圧Ｖｃを印加する。
【００９１】
本実施の形態においては、１ライン目の斜め線補間データは存在しないので、サブフィールドＳＦ６の書込み期間では、１ライン目の放電セルでは書込み動作を行わない。次に、２ライン目の走査電極ＳＣ２および３ライン目の走査電極ＳＣ３に同時に負の電圧Ｖａの走査パルスを印加する。そして、斜め線補間データにもとづき、２ライン目および３ライン目において発光するべき放電セルのデータ電極Ｄｋに正の電圧Ｖｄの書込みパルスを印加する。
【００９２】
これにより、書込みパルスを印加した放電セルのデータ電極Ｄｋと走査電極ＳＣ２との交差部の電圧差、およびデータ電極Ｄｋと走査電極ＳＣ３との交差部の電圧差は電開始電圧を超え、データ電極Ｄｋと走査電極ＳＣ２と維持電極ＳＵ２との間、およびデータ電極Ｄｋと走査電極ＳＣ２と維持電極ＳＵ３との間に書込み放電が発生する。この書込み放電により、走査電極ＳＣ２上および走査電極ＳＣ３上に正の壁電圧が蓄積され、維持電極ＳＵ２上および維持電極ＳＵ３上に負の壁電圧が蓄積され、データ電極Ｄｋ上にも負の壁電圧が蓄積される。
【００９３】
このようにして、斜め線補間データにもとづき２ライン目および３ライン目において発光するべき放電セルで書込み放電を発生し、各電極上に壁電圧を蓄積する書込み動作を行う。書込みパルスを印加しなかったデータ電極３２と走査電極ＳＣ２との交差部の電圧、および同データ電極３２と走査電極ＳＣ３との交差部の電圧は放電開始電圧を超えないので、書込み放電は発生しない。
【００９４】
次に、４ライン目の走査電極ＳＣ４および５ライン目の走査電極ＳＣ５に同時に走査パルスを印加するとともにデータ電極Ｄ１〜データ電極Ｄｍのうち斜め線補間データにもとづき４ライン目および５ライン目において発光するべき放電セルのデータ電極Ｄｋに書込みパルスを印加する。これにより、その放電セルで書込み放電が発生する。
【００９５】
以下、走査電極ＳＣｎ−１に至るまで、順次、上述と同様に、偶数ライン目の走査電極ＳＣｐ＋１とその次の奇数ライン目の走査電極ＳＣｐ＋２とに同時に走査パルスを印加して書込み動作を行う。
【００９６】
なお上述の説明では、１ライン目の走査電極ＳＣ１およびｎライン目の走査電極ＳＣｎについての書込み動作を省略したが、走査電極ＳＣ１および走査電極ＳＣｎについては必要に応じて単独で書込み動作を行ってもよい。
【００９７】
また上述の説明では、表示すべき画像信号がインターレース信号の奇数ラインの信号であるときのサブフィールドＳＦ６における書込み動作について説明したが、表示すべき画像信号がインターレース信号の偶数ラインの信号であるときのサブフィールドＳＦ６においては、奇数ライン目の走査電極ＳＣｐとその次の偶数ライン目の走査電極ＳＣｐ＋１とに同時に走査パルスを印加して書込み動作を行う。
【００９８】
続くサブフィールドＳＦ６の維持期間の動作は維持パルスの数を除いてサブフィールドＳＦ１〜サブフィールドＳＦ５の維持期間の動作と同様である。
【００９９】
以上が、本実施の形態においてパネル１０の各電極に印加する駆動電圧波形の概要である。
【０１００】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｃ＝−３５（Ｖ）、電圧Ｖｓ＝１９０（Ｖ）、電圧Ｖｒ＝１９０（Ｖ）、電圧Ｖｅ１＝１２５（Ｖ）、電圧Ｖｅ２＝１３０（Ｖ）、電圧Ｖｄ＝６０（Ｖ）である。ただし、これらの電圧値は単に一実施例を挙げたものに過ぎない。各電圧値は、パネル１０の特性やプラズマディスプレイ装置４０の仕様等に合わせて、適宜最適な値に設定することが望ましい。例えば、電圧Ｖｅ１と電圧Ｖｅ２とは互いに等しい電圧であってもよく、電圧Ｖｃは正の電圧であってもよい。
【０１０１】
次に、本実施の形態のプラズマディスプレイ装置４０におけるサブフィールドの構成について再度説明する。図５は、本発明の実施の形態１におけるプラズマディスプレイ装置４０のサブフィールド構成およびシャッタ眼鏡５０の開閉動作を示す模式図である。図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形と、右目用シャッタ５２Ｒおよび左目用シャッタ５２Ｌの開閉動作とを示す。また、図５には４つのフィールド（フィールドＦ１〜フィールドＦ４）を示す。
【０１０２】
本実施の形態においては、パネル１０に３Ｄ画像を表示するために、右目用フィールドと左目用フィールドとを交互に発生する。
【０１０３】
例えば、図５に示す４つのフィールドのうち、フィールドＦ１、フィールドＦ３は右目用フィールドであり、フィールドＦ２、フィールドＦ４は左目用フィールドである。そして、フィールドＦ１では、奇数ラインの右目用画像信号を表示し、フィールドＦ３では、偶数ラインの右目用画像信号をパネル１０に表示する。また、フィールドＦ２は、奇数ラインの左目用画像信号を表示し、フィールドＦ４は、偶数ラインの左目用画像信号を表示する。
【０１０４】
具体的には、フィールドＦ１では、サブフィールドＳＦ１〜サブフィールドＳＦ５では奇数の走査電極ＳＣｐとその次の偶数ライン目の走査電極ＳＣｐ＋１とに同時に走査パルスを印加して書込み動作を行い、サブフィールドＳＦ６では偶数ライン目の走査電極ＳＣｐ＋１とその次の奇数ライン目の走査電極ＳＣｐ＋２とに同時に走査パルスを印加して書込み動作を行う。
【０１０５】
フィールドＦ２では、サブフィールドＳＦ１〜サブフィールドＳＦ５では奇数の走査電極ＳＣｐとその次の偶数ライン目の走査電極ＳＣｐ＋１とに同時に走査パルスを印加して書込み動作を行い、サブフィールドＳＦ６では偶数ライン目の走査電極ＳＣｐ＋１とその次の奇数ライン目の走査電極ＳＣｐ＋２とに同時に走査パルスを印加して書込み動作を行う。
【０１０６】
フィールドＦ３では、サブフィールドＳＦ１〜サブフィールドＳＦ５では偶数の走査電極ＳＣｐ＋１とその次の奇数ライン目の走査電極ＳＣｐ＋２とに同時に走査パルスを印加して書込み動作を行い、サブフィールドＳＦ６では奇数ライン目の走査電極ＳＣｐとその次の偶数ライン目の走査電極ＳＣｐ＋１とに同時に走査パルスを印加して書込み動作を行う。
【０１０７】
フィールドＦ４では、サブフィールドＳＦ１〜サブフィールドＳＦ５では偶数の走査電極ＳＣｐ＋１とその次の奇数ライン目の走査電極ＳＣｐ＋２とに同時に走査パルスを印加して書込み動作を行い、サブフィールドＳＦ６では奇数ライン目の走査電極ＳＣｐとその次の偶数ライン目の走査電極ＳＣｐ＋１とに同時に走査パルスを印加して書込み動作を行う。
【０１０８】
また、シャッタ眼鏡５０を通してパネル１０に表示される３Ｄ画像を観測する使用者には、２フィールドで表示される画像（右目用画像および左目用画像）が１枚の３Ｄ画像として認識される。そのため、使用者には、１秒間にパネル１０に表示される画像の数が、１秒間に表示されるフィールドの数の半分の数として観測される。例えば、パネルに表示される３Ｄ画像のフィールド周波数（１秒間に発生するフィールドの数）が６０Ｈｚのとき、使用者には、１秒間に３０枚の３Ｄ画像が観測されることになる。したがって、１秒間に６０枚の３Ｄ画像を表示するためには、フィールド周波数を６０Ｈｚの２倍の１２０Ｈｚに設定しなければならない。そこで、本実施の形態では、使用者に３Ｄ画像の動画像が滑らかに観測されるように、フィールド周波数（１秒間に発生するフィールドの数）を通常の２倍（例えば、１２０Ｈｚ）に設定している。そのため、１枚の右目用画像または１枚の左目用画像を表示するために使用できる時間は、１枚の２Ｄ画像（３Ｄ画像ではない通常の画像）を表示するために使用できる時間の２分の１に制限される。
【０１０９】
シャッタ眼鏡５０の右目用シャッタ５２Ｒおよび左目用シャッタ５２Ｌは、タイミング信号出力部４６から出力されるシャッタ開閉用タイミング信号のオン・オフにもとづき開閉動作が制御される。具体的には、右目用フィールドＦ１では、サブフィールドＳＦ１の書込み期間の開始に同期して右目用シャッタ５２Ｒを開き、サブフィールドＳＦ６の維持期間の終了に同期して右目用シャッタ５２Ｒを閉じる。左目用フィールドＦ２では、サブフィールドＳＦ１の書込み期間の開始に同期して左目用シャッタ５２Ｌを開き、サブフィールドＳＦ６の維持期間の終了に同期して左目用シャッタ５２Ｌを閉じる。以下同様に、右目用フィールドＦ３では、サブフィールドＳＦ１の書込み期間の開始に同期して右目用シャッタ５２Ｒを開き、サブフィールドＳＦ６の維持期間の終了に同期して右目用シャッタ５２Ｒを閉じる。左目用フィールドＦ４では、サブフィールドＳＦ１の書込み期間の開始に同期して左目用シャッタ５２Ｌを開き、サブフィールドＳＦ６の維持期間の終了に同期して左目用シャッタ５２Ｌを閉じる。
【０１１０】
次に、本実施の形態におけるプラズマディスプレイ装置４０の斜め線補間回路およびその動作について説明する。
【０１１１】
図６は、本発明の実施の形態１におけるプラズマディスプレイ装置４０の画像信号処理回路４１の回路ブロック図である。画像信号処理回路４１は、画像データ変換回路６１と、斜め線補間回路６２とを有する。なお、画像信号処理回路４１は赤の画像信号、緑の画像信号、青の画像信号のそれぞれに対して独立に設けられており、それぞれの回路構成およびその動作は同様である。そのため、以下では１つの色の画像信号に対する画像信号処理回路４１の回路構成およびその動作について詳細に説明する。
【０１１２】
画像データ変換回路６１は、画像信号を入力し、サブフィールドＳＦ１〜サブフィールドＳＦ５のそれぞれにおける各放電セルの発光・非発光をデジタル信号のそれぞれのビットの「１」、「０」に対応させた画像データに変換する。本実施の形態においては、入力する画像信号はインターレース信号である。また、出力する画像データは５ビットのデジタルデータであり、画像データのそれぞれのビットｓｉｇ１〜ビットｓｉｇ５の「１」、「０」がサブフィールドＳＦ１〜サブフィールドＳＦ５における各放電セルの発光・非発光に対応している。なお、発光が「１」であり、非発光が「０」である。
【０１１３】
斜め線補間回路６２は、斜め線検出部７０と補間データ作成部８０とを有する。
【０１１４】
図７は、本発明の実施の形態１におけるプラズマディスプレイ装置４０の斜め線検出部７０の回路ブロック図である。図８は、本発明の実施の形態１におけるプラズマディスプレイ装置４０の補間データ作成部８０の回路ブロック図である。
【０１１５】
斜め線検出部７０は、１Ｈディレイ７１と、減算器７２と、コンパレータ７３と、２ＣＫディレイ７４と、１Ｈディレイ７５と、４ＣＫディレイ７６と、ＡＮＤゲート７７と、ＡＮＤゲート７８とを有する。
【０１１６】
１Ｈディレイ７１は、画像信号を１水平帰線期間（１水平同期期間）遅延する。減算器７２は、画像信号から１水平帰線期間遅延した画像信号を減算し、その結果を出力する。したがって、減算器７２は、垂直方向に隣接する画素のそれぞれに対応する画像信号同士の減算を行う。なお、この減算の結果は、正または負の数値である。コンパレータ７３は、減算器７２の出力とあらかじめ設定されている閾値とを比較し、その比較結果を「エッジ検出信号ｄｅｔＥ」として出力する。本実施の形態においては、コンパレータ７３は、減算器７２の出力が閾値以上であれば「１」を出力し、閾値未満であれば「０」を出力する。したがって、１Ｈディレイ７１、減算器７２、コンパレータ７３によって構成される回路は、画像信号から、表示画像の図柄において輪郭に相当する画素を検出する。
【０１１７】
２ＣＫディレイ７４は、エッジ検出信号ｄｅｔＥを２画素遅延する。１Ｈディレイ７５は、エッジ検出信号ｄｅｔＥを１水平帰線期間遅延する。４ＣＫディレイ７６は、１水平帰線期間遅延したエッジ検出信号ｄｅｔＥをさらに４画素遅延する。ＡＮＤゲート７７は、２画素遅延したエッジ検出信号ｄｅｔＥと、１水平帰線期間遅延したエッジ検出信号ｄｅｔＥとの論理積演算を行い、２画素遅延したエッジ検出信号ｄｅｔＥと１水平帰線期間遅延したエッジ検出信号ｄｅｔＥとがともに「１」であれば「１」を出力し、それ以外では「０」を出力する。そして、ＡＮＤゲート７７は、この論理積演算の結果を、「上り斜め線検出信号ｄｅｔＵ」として出力する。ＡＮＤゲート７８は、２画素遅延したエッジ検出信号ｄｅｔＥと、１水平帰線期間と４画素遅延したエッジ検出信号ｄｅｔＥとの論理積演算を行い、２画素遅延したエッジ検出信号ｄｅｔＥと、１水平帰線期間と４画素遅延したエッジ検出信号ｄｅｔＥとがともに「１」であれば「１」を出力し、それ以外では「０」を出力する。そして、ＡＮＤゲート７８は、この論理積演算の結果を、「下り斜め線検出信号ｄｅｔＤ」として出力する。
【０１１８】
補間データ作成部８０は、２ＣＫディレイ８１と、ＯＲゲート８２とを有する。２ＣＫディレイ８１は、ＡＮＤゲート７７から出力される上り斜め線検出信号ｄｅｔＵを２画素遅延する。ＯＲゲート８２は、２画素遅延した上り斜め線検出信号ｄｅｔＵと、ＡＮＤゲート７８から出力される下り斜め線検出信号ｄｅｔＤとの論理和演算を行い、いずれの信号もともに「０」であれば「０」を出力し、いずれか一方の信号でも「１」であれば「１」を出力する。そして、ＯＲゲート８２は、この論理和演算の結果を、「斜め線補間データｓｉｇ６」として出力する。
【０１１９】
次に、斜め線補間回路６２の動作について説明する。図９Ａ〜図９Ｊは、本発明の実施の形態１におけるプラズマディスプレイ装置４０の斜め線補間回路６２の動作を説明するための図である。以下では、画像の一例として、図９Ａに示した画像を表示する場合について説明する。本実施の形態の画像信号はインターレース信号である。したがって、１枚の画像は、奇数ラインの画像と偶数ラインの画像との２枚の画像に分割して表示される。なお、図９Ａは、奇数ラインの画像と偶数ラインの画像とを合成した１枚の画像を部分的に拡大して示した図である。
【０１２０】
例えば、図９Ａに示す画像信号のうち、奇数ラインの画像を表示する画像信号は、図９Ｂに示すように、奇数ラインの画像情報のみを含む画像信号である。
【０１２１】
本実施の形態においては、サブフィールドＳＦ１〜サブフィールドＳＦ５では、奇数ライン目の走査電極ＳＣｐとその次の偶数ライン目の走査電極ＳＣｐ＋１とに同時に走査パルスを印加する２ライン毎同時書込み動作を行う。そのため、奇数ライン目の走査電極ＳＣｐ上の放電セルと、その次の偶数ライン目の走査電極ＳＣｐ＋１上の放電セルとは、互いに同じパターンで発光する。その結果、パネル１０に表示される画像は、図９Ｃに示すように、垂直解像度の低い画像となる。
【０１２２】
斜め線補間回路６２の減算器７２は、図９Ｂに示した画像信号から１水平帰線期間遅延した画像信号を減ずる。パネル１０上に設けられた画素で表すと、演算の対象となる画素の画像信号から、垂直方向に２画素上に配置された画素の画像信号を減ずる。したがって、演算対象となる画素が、２画素上に配置された画素で表示する階調よりも、閾値以上明るい階調を表示するときに、コンパレータ７３の出力であるエッジ検出信号ｄｅｔＥは「１」となる。図９Ｂに示す画像信号の例では、エッジ検出信号ｄｅｔＥとして図９Ｄに示す結果が得られる。
【０１２３】
斜め線補間回路６２のＡＮＤゲート７７は、エッジ検出信号ｄｅｔＥを２画素遅延した信号と、エッジ検出信号ｄｅｔＥを１水平帰線期間遅延した信号との論理積演算を行い、その結果を上り斜め線検出信号ｄｅｔＵとして出力する。これは、パネル１０上に設けられた画素で表すと、２画素遅延した信号を基準に考える場合、演算対象となる画素のエッジ検出信号ｄｅｔＥが「１」であり、水平方向に２画素右でかつ垂直方向に２画素上にある画素のエッジ検出信号ｄｅｔＥも「１」であるときに、上り斜め線検出信号ｄｅｔＵは「１」となる。したがって、上り斜め線検出信号ｄｅｔＵは、パネル１０上に設けられた画素で表すときに、上り斜め線を構成する画素で「１」となる。例えば、図９Ｄに示したエッジ検出信号ｄｅｔＥの例では、上り斜め線検出信号ｄｅｔＵとして図９Ｅに示す結果が得られる。
【０１２４】
斜め線補間回路６２のＡＮＤゲート７８は、エッジ検出信号ｄｅｔＥを２画素遅延した信号と、エッジ検出信号ｄｅｔＥを１水平帰線期間と４画素遅延した信号との論理積演算を行い、その結果を下り斜め線検出信号ｄｅｔＤとして出力する。これは、パネル１０上に設けられた画素で表すと、２画素遅延した信号を基準に考える場合、演算対象となる画素のエッジ検出信号ｄｅｔＥが「１」であり、水平方向に２画素左でかつ垂直方向に２画素上にある画素のエッジ検出信号ｄｅｔＥも「１」であるときに、下り斜め線検出信号ｄｅｔＤは「１」となる。したがって、下り斜め線検出信号ｄｅｔＤは、パネル１０上に設けられた画素で表すときに、下り斜め線を構成する画素で「１」となる。図９Ｄに示したエッジ検出信号ｄｅｔＥの例では、下り斜め線検出信号ｄｅｔＤとして図９Ｆに示す結果が得られる。
【０１２５】
補間データ作成部８０のＯＲゲート８２は、下り斜め線検出信号ｄｅｔＤと、上り斜め線検出信号ｄｅｔＵを２画素遅延した信号との論理和演算を行い、その結果を論理和ｄｅｔＵＤとして出力する。例えば、図９Ｅに示す上り斜め線検出信号ｄｅｔＵと、図９Ｆに示す下り斜め線検出信号ｄｅｔＤの例では、論理和ｄｅｔＵＤとして図９Ｇに示す結果が得られる。
【０１２６】
この論理和ｄｅｔＵＤを、パネル１０上に設けられた画素で表すときに、垂直方向に１ライン上かつ水平方向に３画素左に移動して、偶数ラインのインターレース信号である斜め線補間データｓｉｇ６とする（図８には、この遅延のための回路は示さず）。図９Ｇに示す論理和ｄｅｔＵＤの例では、斜め線補間データｓｉｇ６として図９Ｈに示す結果が得られる。
【０１２７】
そして、斜め線補間データｓｉｇ６をサブフィールドＳＦ６における点灯／非点灯の制御のためのデータとし、この斜め線補間データｓｉｇ６にもとづきサブフィールドＳＦ６の書込み期間で２ライン毎同時書込み動作を行う。例えば、図９Ｈに示す斜め線補間データｓｉｇ６の例では、サブフィールドＳＦ６の点灯／非点灯は、図９Ｉに示す結果となる。
【０１２８】
これにより、例えば、奇数ラインの画像情報のみを含む画像信号をパネル１０に表示する場合、図９Ｂに示した例にもとづけば、サブフィールドＳＦ１〜サブフィールドＳＦ５では図９Ｃに示した画像を表示し、サブフィールドＳＦ６では図９Ｉに示した画像を表示することになる。したがって、サブフィールドＳＦ１〜サブフィールドＳＦ６の全サブフィールドを用いてパネル１０に表示される画像は、図９Ｊに示すように、図９Ｃ（サブフィールドＳＦ１〜サブフィールドＳＦ５により表示される画像）と比較して垂直解像度の高い画像となる。
【０１２９】
仮に、２ライン毎同時書込み動作を行うサブフィールドＳＦ１〜サブフィールドＳＦ５だけでパネル１０に画像を表示したとすると、１フィールドで表示される画像は、図９Ｃに示すように垂直解像度の低い画像となる。この画像が静止画であれば、次のフィールドにおいて、偶数ラインの画像を表示する画像信号によって垂直方向の解像度が補間されるので、垂直解像度の低下は抑制される。しかし、この画像が動画であれば、使用者には、このフィールドの画像が単独で視認されることになる。そして、特に斜め線の図柄が所定の速度で動く場合には、その斜め線は図９Ｃに示したように分断されてしまい、連続した線としてパネル１０に表示できず、画像表示品質が著しく低下することになる。
【０１３０】
しかしながら、本実施の形態においては、１フィールドの中に、斜め線補間データを表示するために用いるサブフィールドを設けるとともに、画像信号にもとづき斜め線を検出し、検出した斜め線から斜め線補間データを作成する。そして、斜め線補間データを、斜め線補間データを表示するサブフィールドを用いてパネル１０に表示することで、斜め線を補間することができる。したがって、本実施の形態によれば、書込み期間を短縮することはできるが垂直解像度が低下しやすい２ライン毎同時書込み動作を各サブフィールドの書込み期間行いつつ、垂直解像度の低下を抑制した画像をパネル１０に表示することができる。これにより、画像表示品質の低下を抑制しつつ、書込みに要する時間を短縮することができる。
【０１３１】
なお本実施の形態においては、斜め線補間データを表示するサブフィールドＳＦ６の輝度重みを「８」として説明したが、本発明はこれに限定されるものではない。斜め線補間データを表示するサブフィールドの輝度重みは「８」以外の数値であってもよく、あるいは、補間すべき斜め線の平均輝度を算出し、平均輝度が高い場合には平均輝度が低い場合よりも輝度重みを大きくする構成であってもよい。
【０１３２】
（実施の形態２）
実施の形態１では、斜め線補間データを表示するサブフィールドであるサブフィールドＳＦ６の書込み期間において２ライン毎同時書込み動作を行う例を説明した。しかし、本発明はこの構成に限定されるものではない。以下、斜め線補間データを表示するサブフィールドの書込み期間において、２ライン毎同時書込み動作ではなく、１ライン毎に書込み動作を行う例について説明する。
【０１３３】
実施の形態２に用いるパネルおよびプラズマディスプレイ装置の回路ブロックは、実施の形態１におけるパネル１０およびプラズマディスプレイ装置４０の回路ブロックと同様である。ただし、実施の形態２は、斜め線補間データ、およびそれを表示するサブフィールドの構成が実施の形態１と異なる。
【０１３４】
図１０Ａ、図１０Ｂ、図１０Ｃは、本発明の実施の形態２におけるプラズマディスプレイ装置の斜め線補間データを説明するための図である。
【０１３５】
まず、実施の形態１と同様に、論理和ｄｅｔＵＤを、パネル１０上に設けられた画素で表すときに、垂直方向に１ライン上かつ水平方向に３画素左に移動して、偶数ラインのインターレース信号である斜め線補間データｓｉｇ６を作成する。
【０１３６】
そして、本実施の形態では、偶数ラインの斜め線補間データｓｉｇ６を、その次の奇数ラインの斜め線補間データｓｉｇ６としても用いる。したがって、本実施の形態における斜め線補間データｓｉｇ６は、図１０Ａに示すように、偶数ラインとその次の奇数ラインとで同じデータとなる。ただし、本実施の形態においては、図１０Ａに示した斜め線補間データｓｉｇ６を、斜め線補間データを表示するサブフィールドで、そのまま表示することはしない。
【０１３７】
図１０Ｂは、実施の形態１に示した図９Ｃと同じ図である。すなわち、奇数ラインの画像を、サブフィールドＳＦ１〜サブフィールドＳＦ５の書込み期間で２ライン毎同時書込み動作を行って表示する場合の表示画像を示す図である。
【０１３８】
そして、斜め線補間データｓｉｇ６を、サブフィールドＳＦ１〜サブフィールドＳＦ５において所定の階調以上を表示する画素では、「０」（非点灯）にする。こうして、図１０Ｃに一例を示すように、本実施の形態における斜め線補間データｓｉｇ６’を作成する。
【０１３９】
そして、この斜め線補間データｓｉｇ６’にもとづき、サブフィールドＳＦ６の書込み期間において書込み動作をする。このとき、本実施の形態では、実施の形態１とは異なり、サブフィールドＳＦ６の書込み期間において、２ライン毎同時書込み動作ではなく、１ライン毎に書込み動作を行う。斜め線補間データｓｉｇ６’は、サブフィールドＳＦ１〜サブフィールドＳＦ５において所定の階調以上を表示する画素では「０」である。したがって、その画素は、斜め線補間データを表示するサブフィールドＳＦ６で非点灯となる。
【０１４０】
これにより、サブフィールドＳＦ１〜サブフィールドＳＦ５において所定の階調以上を表示する画素はサブフィールドＳＦ６で発光しないので、斜め線の補間が過剰になることを防ぐことができ、自然な画像表示を行うことができる。
【０１４１】
図１１は、本発明の実施の形態２におけるプラズマディスプレイ装置に用いるパネルの各電極に印加する駆動電圧波形図である。本実施の形態においては、サブフィールドＳＦ１〜サブフィールドＳＦ５の動作およびサブフィールドＳＦ６の初期化期間の動作については、実施の形態１と同様であるので、説明を省略する。
【０１４２】
サブフィールドＳＦ６の書込み期間では、維持電極ＳＵ１〜維持電極ＳＵｎに電圧Ｖｅ２を印加し、走査電極ＳＣ１〜走査電極ＳＣｎのそれぞれには電圧Ｖｃを印加する。１ライン目の斜め線補間データは存在しないので、サブフィールドＳＦ６の書込み期間では、１ライン目の放電セルでは書込み動作を行わない。
【０１４３】
次に、２ライン目の走査電極ＳＣ１に負の電圧Ｖａの走査パルスを印加する。そして、図１０Ｃに示した斜め線補間データｓｉｇ６’にもとづき、２ライン目に発光するべき放電セルのデータ電極Ｄｋに正の電圧Ｖｄの書込みパルスを印加して、データ電極Ｄｋと走査電極ＳＣ１と維持電極ＳＵ１との間で書込み放電を発生させる。次に、３ライン目の走査電極ＳＣ２に負の電圧Ｖａの走査パルスを印加する。そして、図１０Ｃに示した斜め線補間データｓｉｇ６’にもとづき、３ライン目に発光するべき放電セルのデータ電極Ｄｋに正の電圧Ｖｄの書込みパルスを印加して、データ電極Ｄｋと走査電極ＳＣ１と維持電極ＳＵ１との間で書込み放電を発生させる。以下、走査電極ＳＣｎに至るまで、走査電極２２の１本ずつに走査パルスを順次印加し、各ライン毎に書込み動作を行う。
【０１４４】
このように、本実施の形態では、サブフィールドＳＦ１〜サブフィールドＳＦ５においては２ライン毎同時書込み動作を行うことで書込み動作に要する時間を短縮し、サブフィールドＳＦ６においては１ライン毎に書込み動作を行うことで、図１０Ｃに示した斜め線補間データｓｉｇ６’を表示する。これにより、画像表示品質の低下を抑制しつつ書込み期間を短縮することができ、さらに斜め線の補間が過剰になることを防いで、自然な画像表示を行うことが可能となる。
【０１４５】
なお、本発明の実施の形態では、奇数ラインの画像を表示する場合の動作を説明したが、偶数ラインの画像を表示する場合の動作は、奇数ラインの画像を表示する場合の動作における奇数ライン目と偶数ライン目とを入れ替えての動作に等しい。
【０１４６】
なお、本実施の形態において斜め線補間データｓｉｇ６、斜め線補間データｓｉｇ６’を算出するために行う各演算は、各画素の輝度の階調値にもとづき行うものとする。しかし、本発明は何らこの構成に限定されるものではなく、例えば、各画素のそれぞれで赤の階調値、青の階調値、緑の階調値の３つの階調値の平均値を算出し、その平均値にもとづき行う構成であってもよい。
【０１４７】
なお、本実施の形態においては、右目用フィールドおよび左目用フィールドのそれぞれを６つのサブフィールドで構成する例を説明したが、本発明は、サブフィールドの数が上記数値に限定されるものではない。例えばサブフィールドの数を７、あるいはそれ以上に増やせば、パネル１０に表示できる階調の数を増やすことができる。各フィールドを構成するサブフィールドの数は、プラズマディスプレイ装置４０の仕様等に応じて最適に設定すればよい。
【０１４８】
なお、図４、図１１に示した駆動電圧波形は、本発明の実施の形態における一例を示したものに過ぎず、本発明は何らこれらの駆動電圧波形に限定されるものではない。
【０１４９】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０１５０】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０１５１】
なお、本発明の実施の形態において示した具体的な数値は、画面サイズが５０インチ、表示電極対２４の数が１０８０のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、各数値は、上述した効果を得られる範囲でのばらつきを許容するものとする。また、サブフィールド数や各サブフィールドの輝度重み等も本発明における実施の形態に示した値に限定されるものではなく、また、画像信号等にもとづいてサブフィールド構成を切り換える構成であってもよい。
【産業上の利用可能性】
【０１５２】
本発明は、３Ｄ画像表示装置として使用可能なプラズマディスプレイ装置において、画像表示品質の低下を抑制しつつ書込み期間を短縮することができるので、プラズマディスプレイ装置の駆動方法やプラズマディスプレイ装置、加えてプラズマディスプレイシステムとして有用である。
【符号の説明】
【０１５３】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
４１    画像信号処理回路
４２    データ電極駆動回路
４３    走査電極駆動回路
４４    維持電極駆動回路
４５    タイミング発生回路
４６    タイミング信号出力部
５０    シャッタ眼鏡
５２Ｒ    右目用シャッタ
５２Ｌ    左目用シャッタ
６１    画像データ変換回路
６２    斜め線補間回路
７０    斜め線検出部
７１，７５    １Ｈディレイ
７２    減算器
７３    コンパレータ
７４，８１    ２ＣＫディレイ
７６    ４ＣＫディレイ
７７，７８    ＡＮＤゲート
８０    補間データ作成部
８２    ＯＲゲート
【図１】
2011074242.tif 000003
【図２】
2011074242.tif 000004
【図３】
2011074242.tif 000005
【図４】
2011074242.tif 000006
【図５】
2011074242.tif 000007
【図６】
2011074242.tif 000008
【図７】
2011074242.tif 000009
【図８】
2011074242.tif 000010
【図９Ａ】
2011074242.tif 000011
【図９Ｂ】
2011074242.tif 000012
【図９Ｃ】
2011074242.tif 000013
【図９Ｄ】
2011074242.tif 000014
【図９Ｅ】
2011074242.tif 000015
【図９Ｆ】
2011074242.tif 000016
【図９Ｇ】
2011074242.tif 000017
【図９Ｈ】
2011074242.tif 000018
【図９Ｉ】
2011074242.tif 000019
【図９Ｊ】
2011074242.tif 000020
【図１０Ａ】
2011074242.tif 000021
【図１０Ｂ】
2011074242.tif 000022
【図１０Ｃ】
2011074242.tif 000023
【図１１】
2011074242.tif 000024
【手続補正書】
【提出日】平成24年3月22日(2012.3.22)
【手続補正１】
【補正対象書類名】明細書
【補正対象項目名】０１４３
【補正方法】変更
【補正の内容】
【０１４３】
次に、２ライン目の走査電極ＳＣ２に負の電圧Ｖａの走査パルスを印加する。そして、図１０Ｃに示した斜め線補間データｓｉｇ６’にもとづき、２ライン目に発光するべき放電セルのデータ電極Ｄｋに正の電圧Ｖｄの書込みパルスを印加して、データ電極Ｄｋと走査電極ＳＣ２と維持電極ＳＵ２との間で書込み放電を発生させる。次に、３ライン目の走査電極ＳＣ３に負の電圧Ｖａの走査パルスを印加する。そして、図１０Ｃに示した斜め線補間データｓｉｇ６’にもとづき、３ライン目に発光するべき放電セルのデータ電極Ｄｋに正の電圧Ｖｄの書込みパルスを印加して、データ電極Ｄｋと走査電極ＳＣ３と維持電極ＳＵ３との間で書込み放電を発生させる。以下、走査電極ＳＣｎに至るまで、走査電極２２の１本ずつに走査パルスを順次印加し、各ライン毎に書込み動作を行う。
【国際調査報告】
2011074242.tif 000025
2011074242.tif 000026
2011074242.tif 000027
2011074242.tif 000028